(57)【要約】【課題】セラミックメタルハライドランプの輸送運搬中に生ずる衝撃などによって、電極アセンブリの導電性サーメットが折損したり、該サーメットと給電用リードとの溶接箇所が破断することを防止する。【解決手段】導電性サーメット６Ｘが、その端面１１をキャピラリ２の端面１２と略面一に配する長さに形成され、その端面１１に溶接された給電用リード７に、キャピラリ２の端面１２に当接してサーメット６Ｘの端面１１をキャピラリ２の端面と略面一に支持するストッパ８Ｘが溶接され、該ストッパ８Ｘが封着用ガラス９によってキャピラリ２の端面１２に封着されている。【選択図】図１
0003141912.tif 000002
【実用新案登録請求の範囲】
【請求項１】
発光管とその両端に設けるキャピラリとがセラミックで形成され、キャピラリとその内部に挿通された電極アセンブリとを相互に封着する封着用ガラスによって、キャピラリの端末側の内周部と電極アセンブリの一部を成す導電性サーメットの外周部との間が気密にシールされたセラミックメタルハライドランプにおいて、前記導電性サーメットが、その端面をキャピラリの端面と略面一に配する長さに形成されると共に、該サーメットの端面に対して電極アセンブリの給電用リードが同軸的に溶接され、その給電用リードに対して、キャピラリの端面に当接して前記導電性サーメットの端面をキャピラリの端面と略面一に支持するストッパが溶接されると共に、該ストッパが、前記封着用ガラスによってキャピラリの端面に封着されていることを特徴とするセラミックメタルハライドランプ。
【請求項２】
前記ストッパが、一対の金属ピンで成り、当該両ピンが、前記給電用リードと直交し、且つ該リードを挟んで互いに対峙すると共に、該リードよりも太径に形成された前記導電性サーメットの端面もしくは端縁部に当接した状態で、前記給電用リードに対して溶接されている請求項１記載のセラミックメタルハライドランプ。
【請求項３】
前記金属ピンが、円形、方形又は直角三角形の断面を有するニオブ金属棒もしくはタンタル金属棒で成る請求項２記載のセラミックメタルハライドランプ。
【考案の詳細な説明】
【技術分野】
【０００１】
本考案は、発光管とその両端に設けるキャピラリ（細管）とがセラミックで形成されたセラミックメタルハライドランプに関する。
【背景技術】
【０００２】
図３は、本願出願人の製品に係るセラミックメタルハライドランプの従来例を示す図であって、該ランプは、発光管１とその両端に設けるキャピラリ２とが透光性セラミックで一体成形され、そのキャピラリ２内に挿通される電極アセンブリ３は、タングステン電極４と、モリブデン等で成る耐ハロゲン性中間材５と、アルミナ粉末とモリブデン粉末とを混合燒結して成るロッド状の導電性サーメット６と、該サーメット６よりも細径のモリブデンロッドで成る給電用リード７とが直列的に突合せ溶接された構成となっている。
【０００３】
また、電極アセンブリ３には、キャピラリ２の端面に当接して該キャピラリ２内に挿通される電極アセンブリ３を定位置に係止する位置決め用のストッパ８となる一対の金属ピンＰ１、Ｐ２が、導電性サーメット６と直交し、且つ該サーメット６を挟んで互いに平行に対峙した状態で、該サーメット６に対してスポット溶接されている。
【０００４】
そして、キャピラリ２とその内部に挿通された電極アセンブリ３とを相互に封着するための封着用ガラス９が、キャピラリ２の端末側の内周部とキャピラリ２内に挿通した電極アセンブリ３の一部を成す導電性サーメット７の外周部との間に充填されて、その間が気密にシールされると共に、キャピラリ２の端末から突出した導電性サーメット６と給電用リード７との溶接箇所を囲繞するように被せた円筒型のアルミナリングで成る補強用リング１０内にも封着用ガラス９が充填されて、導電性サーメット６と給電用リード７の溶接箇所が補強・保護されている。（特許文献１、２および３参照）。
【特許文献１】特開２００３−１００２５４号公報
【特許文献２】特開２００６−３１００７２号公報
【特許文献３】特開２００８−１０２７２号公報
【０００５】
しかし、上記の如く構成された従来のランプは、補強用リング１０内に加熱溶融状態で流し込んで充填された封着用ガラス９が冷却固化する際に、その封着用ガラス９と補強用リング１０との熱膨張率差によって、補強用リング１０の周方向に引張り応力が発生・蓄積し、その引張り応力で補強用リング１０が破断して蓄積した応力が一挙に解放される衝撃により、補強用リング１０内に充填された封着用ガラス９にクラックが発生し、そのクラックがキャピラリ２の端末側の内周部と導電性サーメット６の外周部との間に充填された封着用ガラス９に伝播して、キャピラリ２に亀裂が発生するおそれがあった。
【０００６】
すなわち、図３のランプは、電極アセンブリ３が封着用ガラス９によってキャピラリ２と封着される部分をキャピラリ２と熱膨張率が近似する導電性サーメット６で形成することにより、キャピラリ２に電極アセンブリ３との熱膨張率差に起因した亀裂が発生することを防止するようにしているが、上記の如く、電極アセンブリ３の導電性サーメット６と給電用リード７の溶接箇所を補強する補強用リング１０とその内部に充填する封着用ガラス９との熱膨張率差に起因して、キャピラリ２に亀裂が発生するおそれがあった。
【０００７】
また、補強用リング１０内に封着用ガラス９を充填させる際は該リング１０を導電性サーメット６と給電用リード７の溶接箇所を囲繞する位置に配置させるセッティングが必要であるから、そのセッティングを行う分だけランプの製造工程が煩雑になるという問題がある。また、補強用リング１０の熱負荷が発光管１の熱ロスを生じる要因の一つとなって、ランプの光学特性を低下させるという問題もあった。
【０００８】
更に、アルミナ粉末とモリブデン粉末とを混合燒結して成る導電性サーメット６は、耐熱性や耐摩耗性などに優れている反面、脆くて欠け易いため、ランプの輸送運搬中に生ずる衝撃などにより、キャピラリ２の端末から突出して補強用リング１０との間に介在する部分が折損し易いという問題があった。
【考案の開示】
【考案が解決しようとする課題】
【０００９】
本考案は、キャピラリの亀裂発生や発光管の熱ロスの要因となっている上記補強用リングを不用とするために、該リングを使用せずとも、電極アセンブリの導電性サーメットと給電用リードの溶接箇所が破断することを確実に防止できる構造に改良すると同時に、ランプの輸送運搬中に加わる外力によって電極アセンブリの導電性サーメットが折損するおそれのない構造に改良することを技術的課題としている、
【課題を解決するための手段】
【００１０】
上記課題を解決するために、本考案は、発光管とその両端に設けるキャピラリとがセラミックで形成され、キャピラリとその内部に挿通された電極アセンブリとを相互に封着する封着用ガラスによって、キャピラリの端末側の内周部と電極アセンブリの一部を成す導電性サーメットの外周部との間が気密にシールされたセラミックメタルハライドランプにおいて、前記導電性サーメットが、その端面をキャピラリの端面と略面一に配する長さに形成されると共に、該サーメットの端面に対して電極アセンブリの給電用リードが同軸的に溶接され、その給電用リードに対して、キャピラリの端面に当接して前記導電性サーメットの端面をキャピラリの端面と略面一に支持するストッパが溶接されると共に、該ストッパが、前記封着用ガラスによってキャピラリの端面に封着されていることを特徴とする。
【考案の効果】
【００１１】
本考案によれば、電極アセンブリの給電用リードに溶接されたストッパがキャピラリの端面に当接してその端面に封着用ガラスで封着されることにより、導電性サーメットの端面がキャピラリの端面と略面一に支持されると同時に、給電用リードがキャピラリの端面に対して確りと固定されるので、該リードと導電性サーメットとの溶接箇所に負荷が掛かってその溶接箇所が破断するおそれがなく、導電性サーメットがランプの輸送運搬中に生ずる衝撃などによって折損するおそれもない。
【００１２】
また、導電性サーメットの端面がキャピラリの端面と略面一に支持されることにより、導電性サーメットの端面に溶接された給電用リードがキャピラリ内に入り込まないので、その給電用リードとキャピラリとの熱膨張率差によってキャピラリに亀裂が生ずるおそれもない。
【考案を実施するための最良の形態】
【００１３】
本考案に係るセラミックメタルハライドランプの最良の実施形態は、発光管とその両端に設けるキャピラリとがアルミナセラミックで形成され、キャピラリ内に挿通する電極アセンブリは、タングステン電極と、モリブデン等で成る耐ハロゲン性中間材と、アルミナ粉末とモリブデン粉末とを混合燒結して成るロッド状の導電性サーメットと、モリブデンロッドで成る給電用リードとが直列的に突合せ溶接されている。
【００１４】
また、電極アセンブリの導電性サーメットは、その端面をキャピラリの端面と略面一に配する長さに形成され、該サーメットの端面に対して電極アセンブリの給電用リードが同軸的に溶接されると共に、その給電用リードに対して、キャピラリの端面に当接して導電性サーメットの端面をキャピラリの端面と略面一に支持するストッパが溶接されている。
【００１５】
そして、キャピラリとその内部に挿通された電極アセンブリとを相互に封着する封着用ガラスによって、キャピラリの端末側の内周部と電極アセンブリの導電性サーメットの外周部との間がハーメチックシールされると共に、キャピラリの端面に当接して導電性サーメットの端面をキャピラリの端面と略面一に支持する前記ストッパがキャピラリの端面に封着されている。
【００１６】
また、前記ストッパは、一対の金属ピンで成り、当該両ピンが、給電用リードと直交し、且つ該リードを挟んで互いに平行に対峙すると共に、該リードよりも太径に形成された導電性サーメットの端面もしくは端縁部に当接した状態で、給電用リードに対して溶接されている。また、その金属ピンは、円形、方形又は直角三角形の断面を有するニオブ金属棒もしくはタンタル金属棒で形成されている。
【実施例】
【００１７】
図１は本考案に係るセラミックメタルハライドランプの一例を示す図であって、同図（ａ）および（ｂ）は、完成前の構成を示す部分縦断面図および平面図、同図（ｃ）は、完成した構成を示す部分縦断面図である。また、図２はストッパの変形例を示す図である。
【００１８】
本例のセラミックメタルハライドランプは、図３の補強用リング１０を具有しない点と、キャピラリ２内に挿通する電極アセンブリ３の導電性サーメット６Ｘが、その端面１１をキャピラリ２の端面１２と略面一に配する長さＬに形成されている点と、その導電性サーメット６Ｘの端面１１をキャピラリ２の端面１２と略面一に支持するストッパ８Ｘが給電用リード７に溶接されている点で、図３に示す従来のランプと相違し、その他の構成は、図３のランプと共通している。
【００１９】
すなわち、本例のランプは、図１および図２の如く、電極アセンブリ３の導電性サーメット６Ｘが、その端面１１をキャピラリ２の端面１２と略面一に配する長さＬに形成されると共に、該サーメット６Ｘの端面１１に対して電極アセンブリ３の給電用リード７が同軸的に溶接され、その給電用リード７に対して、キャピラリ２の端面１２に当接して導電性サーメット６Ｘの端面１１をキャピラリ２の端面１２と略面一に支持するストッパ８Ｘが溶接されている。
【００２０】
図１のストッパ８Ｘは、円形の断面を有するニオブ金属棒もしくはタンタル金属棒で形成された一対の金属ピンＰ１、Ｐ２で成り、当該両ピンＰ１、Ｐ２が、給電用リード７と直交し、且つ該リード７を挟んで互いに平行に対峙すると共に、該リード７よりも太径に形成された導電性サーメット６の端面１１に当接した状態（細径の給電用リード７と太径の導電性サーメット６とで形成される段部の幅が金属ピンＰ１、Ｐ２の半径以下の場合は、導電性サーメット６の端縁部に当接した状態）で、給電用リード７に対してスポット溶接されている。
【００２１】
そして、図１（ａ）および（ｂ）の如く電極アセンブリ３をキャピラリ２内に挿通して、図１（ａ）に破線で示す如く円盤型の封着用ガラス９をその中心孔に電極アセンブリ３の給電用リード７を刺し通して該リード７に溶接されたストッパ８Ｘの金属ピンＰ１、Ｐ２の上に載置するようにセッティングして加熱溶融させることにより、図１（ｂ）の如く、キャピラリ２の端末側の内周部と電極アセンブリ３の導電性サーメット６の外周部との間が、封着用ガラス９によってハーメチックシールされると共に、ストッパ８Ｘの金属ピンＰ１、Ｐ２が、封着用ガラス９によってキャピラリ２の端面１２に封着される。
【００２２】
これにより、導電性サーメット６の端面１１が、キャピラリ２の端面１２と略面一に支持されると同時に、給電用リード７が、キャピラリ２の端面１２に対して強固に固定されるので、ランプの輸送運搬中に衝撃などの外力によって給電用リード７と導電性サーメット６との溶接箇所が破断したり、導電性サーメット６が折損することが防止される。
【００２３】
また、モリブデンロッドで成る給電用リード７が、アルミナセラミックで成るキャピラリ２内に入り込んでその内周部に対して封着用ガラス９で封着されることがないから、給電用リード７とキャピラリ２の熱膨張率差によってキャピラリ２に亀裂が発生するおそれもない。
【００２４】
更に、図３の如き補強用リング１０を用いることなく、導電性サーメット６と給電用リード７の溶接箇所を補強することができるので、ランプの製造工程が簡略化されると共に、補強用リング１０の破断によってキャピラリ２に亀裂が発生することもなく、発光管の熱ロスも著しく低減される。
【００２５】
なお、ストッパ８Ｘを構成する金属ピンＰ１、Ｐ２は、円形の断面を有するニオブ金属棒やタンタル金属棒で成るものに限らず、図２（ａ）の如く方形の断面を有するニオブ金属棒やタンタル金属棒で成るもの、あるいは図２（ｂ）の如く直角三角形の断面を有するニオブ金属棒やタンタル金属棒で成るものであってもよく、方形の断面を有する図２（ａ）の金属ピンＰ１、Ｐ２は、その方形の隣接する２辺の一方が導電性サーメット６の端面に当接された状態で、他方が給電用リード７に溶接されており、直角三角形の断面を有する図２（ｂ）の金属ピンＰ１、Ｐ２は、その直角を挟んで隣接する２辺の一方が導電性サーメット６の端面に当接された状態で、他方が給電用リード７に溶接されている。
【００２６】
また、本考案のランプは、発光管とその両端に設けるキャピラリとが透光性セラミックで一体成形されたワンピース型のセラミックメタルハライドランプに限らず、発光管の両端に別途製造したキャピラリを焼きばめて取り付けるシリンドリカル型のセラミックメタルハライドランプであってもよい。
【産業上の利用可能性】
【００２７】
本考案は、セラミックメタルハライドランプの品質および信頼性の向上と、構成の簡素化および製造工程の簡略化に資するものである。
【図面の簡単な説明】
【００２８】
【図１】本考案に係るセラミックメタルハライドランプの一例を示す図
【図２】本考案に係るセラミックメタルハライドランプの他の例を示す図
【図３】従来のセラミックメタルハライドランプを示す図
【符号の説明】
【００２９】
１…発光管
２…キャピラリ
３…電極アセンブリ
６…導電性サーメット
７…給電用リード
８Ｘ…ストッパ
Ｐ１…金属ピン
Ｐ２…金属ピン
９…封着用ガラス
１１…導電性サーメットの端面
１２…キャピラリの端面
【図１】
0003141912.tif 000003
【図２】
0003141912.tif 000004
【図３】
0003141912.tif 000005